(57)【特許請求の範囲】
【請求項１】
通気性を有する柔軟な帯状部材と、帯状部材の両端に設けたフック部材とを備え、フック部材を引っ掛け可能な引掛部を帯状部材の幅方向の途中部に帯状部材の長さ方向に間隔をあけて複数形成し、フック部材の引掛位置を変更することで、干し物に巻き付ける帯状部材の長さを調整可能となした干し具であって、
前記帯状部材として、柔軟性を有する合成樹脂製の一体成形品からなり、幅方向に間隔をあけて形成した長さ方向に延びる細長い平板状の複数本の縦桟部と、長さ方向に間隔をあけて形成した幅方向に延びる細長い平板状の複数の横桟部とを有し、縦桟部と横桟部とで複数の通気孔を形成して、帯状部材に通気性を付与するとともに、縦桟部と横桟部との交差部をフック部材の引掛部となしたものを用い、
前記帯状部材を長さ方向の両側の両端分割体と中央部の中央分割体とに連結可能に分割構成した、
ことを特徴とする干し具。
【請求項２】
前記縦桟部及び横桟部の縁部に線状補強部を形成した請求項１記載の干し具。
【請求項３】
前記両端分割体に縦桟部に連なって外方へ延びる第１連結片を形成して、第１連結片に係合突起を形成し、中央分割体の両端部に外方へ延びる第２連結片を形成して、第２連結片に係合突起が無理嵌合する係合孔を形成し、前記第１連結片に、前記係合孔の口縁に係合する係合突起の下面に対面させて抜き孔を形成した請求項１又は２記載の干し具。
【発明の詳細な説明】
【０００１】
【発明の属する技術分野】
本発明は、枕やクッションや座布団やぬいぐるみ等の干し物を干すのに好適な干し具に関する。
【０００２】
【従来の技術】
布団や毛布等の薄肉で大型な物品を干す場合には、ベランダの手すりに引っ掛けて容易に干すことができるが、枕やクッションや座布団やぬいぐるみ等のように厚肉で小型な物品は、手すりに引っ掛けて干すことができないので、ベランダの床面に置いて干すことになるが、これらの干し物が汚れないようにシート等を敷く必要があるし、ベランダの使用に際してこれらの干し物が邪魔になるという問題がある。
【０００３】
そこで、このような問題を解決するため、例えば特開２００１−２３９０９４号公報には、ネットなどの通気性のよい素材からなる帯状部材と、その両端部に設けた支え棒と、支え棒の両端部に連結した紐状部材と、紐状部材の途中部に取り付けたフック部材とを備え、両フック部材を物干し竿に引っ掛けて、帯状部材の途中部に干し物を載せて干すようになした干し具が記載されている。
【０００４】
【発明が解決しようとする課題】
ところで、前記公報に記載の干し具では、帯状部材を丸めてコンパクトに収納できるものの、構成部品点数が多く、製作コストが高くなる。また、干し物に対する帯状部材の巻き付け長さを調整できないので、小さな干し物を干す場合にはホールド性を十分に確保できず、風で煽られるなどして揺れたときに、干し物が帯状部材から脱落し易いという問題があった。
【０００５】
本発明の目的は、安価に製作可能で、しかも各種サイズの干し物を安定的に保持可能な干し具を提供することである。
【０００６】
【課題を解決するための手段及びその作用】
本発明に係る干し具は、通気性を有する柔軟な帯状部材と、帯状部材の両端に設けたフック部材とを備え、フック部材を引っ掛け可能な引掛部を帯状部材の幅方向の途中部に帯状部材の長さ方向に間隔をあけて複数形成し、フック部材の引掛位置を変更することで、干し物に巻き付ける帯状部材の長さを調整可能となした干し具であって、前記帯状部材として、柔軟性を有する合成樹脂製の一体成形品からなり、幅方向に間隔をあけて形成した長さ方向に延びる細長い平板状の複数本の縦桟部と、長さ方向に間隔をあけて形成した幅方向に延びる細長い平板状の複数の横桟部とを有し、縦桟部と横桟部とで複数の通気孔を形成して、帯状部材に通気性を付与するとともに、縦桟部と横桟部との交差部をフック部材の引掛部となしたものを用い、前記帯状部材を長さ方向の両側の両端分割体と中央部の中央分割体とに連結可能に分割構成したものである。
【０００７】
この干し具においては、枕や座布団やぬいぐるみ等の厚肉で小型な干し物に帯状部材を巻き付け、帯状部材により干し物が適度に保持される位置の引掛部に一方のフック部材を引っ掛け、他方のフック部材を物干し竿等に引っ掛けて、干し物を宙吊り状態にして干すことになる。このように、一方のフック部材を引っ掛ける引掛部の位置を変更して、各種サイズの干し物を帯状部材により適度な保持力で保持できるので、風で煽られることによる干し物の脱落を効果的に防止できる。また、干し具を帯状部材とフック部材とで構成できるので、干し具の構成部品点数を減らしてその製作コストを低減できる。
【０００８】
また、前記帯状部材として、柔軟性を有する合成樹脂製の一体成形品からなり、幅方向に間隔をあけて形成した長さ方向に延びる細長い平板状の複数本の縦桟部と、長さ方向に間隔をあけて形成した幅方向に延びる細長い平板状の複数の横桟部とを有し、縦桟部と横桟部とで複数の通気孔を形成して、帯状部材に通気性を付与するとともに、縦桟部と横桟部との交差部をフック部材の引掛部となしたものを用いると、射出成形により容易に製作でき、しかも部品点数を少なくできるので、干し具の製作コストを低減する上で好ましい。
【０００９】
前記帯状部材を長さ方向の両側の両端分割体と中央部の中央分割体とに連結可能に分割構成すると、両端部の分割体を同一構造に構成できるとともに、途中部の分割体を複数分割する場合でも、それらを同一構造に構成できるので、金型の製作コストを低減する上で好ましい。つまり、干し物として枕や座布団を干すことを考慮すると、帯状部材はこれらの干し物に無理なく巻き付けることができるように、少なくとも７０〜８０ｃｍの長さに設定することになるが、このような長さの成形品を１部品として例えば射出成形装置によりする場合には、金型として大型な製作コストの高いものを用いる必要がある。このため、帯状部材は長さ方向に連結可能な複数の分割体で構成することが好ましい。特に、帯状部材を３分割以上に分割すると、両端部の分割体を同一構造に構成できるとともに、途中部の分割体を複数分割する場合でも、それらを同一構造に構成できるので、金型の製作コストを低減する上で好ましい。
【００１０】
ここで、前記縦桟部及び横桟部の縁部に線状補強部を形成すること、前記両端分割体に縦桟部に連なって外方へ延びる第１連結片を形成して、第１連結片に係合突起を形成し、中央分割体の両端部に外方へ延びる第２連結片を形成して、第２連結片に係合突起が無理嵌合する係合孔を形成し、前記第１連結片に、前記係合孔の口縁に係合する係合突起の下面に対面させて抜き孔を形成すること、などが好ましい実施の形態である。
【００１１】
【発明の実施の形態】
以下、本発明の実施の形態について図面を参照しながら説明する。
図１〜図３に示すように、干し具１は、通気性を有する柔軟な帯状部材２と、帯状部材２の両端に設けたフック部材３とを備え、フック部材３を引っ掛け可能な引掛部４を帯状部材２の幅方向の途中部に帯状部材２の長さ方向に間隔をあけて複数形成し、フック部材３の引掛位置を変更することで、干し物５に巻き付ける帯状部材２の長さを調整可能となしたもので、干し物５としては、枕やクッションや座布団やぬいぐるみ等のように厚肉で短尺な物品を好適に干すことができる。
【００１２】
帯状部材２は、長さ方向に連結可能な３つの分割体であって、長さ方向の両端部に配置される両端分割体１０と、長さ方向の途中部に配置される中央分割体１１の３つの分割体１０，１１で構成され、帯状部材２の両端部に配置される両端分割体１０は同一形状に構成され、これら３つの分割体１０，１１はそれぞれ柔軟性を有する合成樹脂材料を用いて例えば射出成形により一体成形されている。尚、帯状部材２は、単一の部材で構成することも可能であるが、分割構成すると金型を小型に構成してその製作コストを低減できるので好ましい。また、２つ或いは４つ以上の分割体に分割構成することも可能である。更に、各分割体１０，１１は、異形に構成してもよいが、できる限り同形のものを使用すると、金型の製作コストを低減できるので好ましい。
【００１３】
帯状部材２の素材としては、柔軟性を有するものであれば任意の素材を採用でき、ポリプロピレンやポリエチレンやポリエチレンテレフタレートなどの合成樹脂材料が好適に利用できる。尚、帯状部材２としてネット状部材を用い、幅方向の途中部にリング部材等からなる引掛部を別途取り付けたり、幅方向の途中部に２つ１組の挿通孔を長さ方向に間隔をあけて形成し、両挿通孔間に引掛部を形成したものを用いてもよい。
【００１４】
分割体１０，１１は、幅方向に間隔をあけて形成した長さ方向に延びる３本の縦桟部１２と、長さ方向に間隔をあけて形成した幅方向に延びる複数本の横桟部１３を有し、縦桟部１２と横桟部１３とで方形状の複数の通気孔１４が形成され、この通気孔１４により帯状部材２に通気性が付与されている。
【００１５】
帯状部材２の幅方向の途中部の縦桟部１２と横桟部１３との交差部により引掛部４が形成され、この引掛部４にフック部材３を引っ掛けて、干し物５に巻きつける帯状部材２の長さを調整できるように構成されている。分割体１０，１１の外縁部及び通気孔１４の口縁部には帯状部材２の平坦部分の肉厚よりも大径の線状補強部１９が形成され、帯状部材２の縁部はこの線状補強部１９により補強されている。
【００１６】
尚、縦桟部１２及び横桟部１３は、図２、図３に示す以外の本数設けることが可能である。但し、縦桟部１２は、フック部材３を引っ掛けることを考慮すると、帯状部材２の途中部に縦桟部１２が配置されるように、３本以上の奇数本に構成することが好ましい。また、通気孔１４は、図２、図３に示すように、方形状に形成してもよいし、丸孔や長孔、楕円形や小判形、ハート形や星形、多角形状等の任意の形状に形成することも可能である。
【００１７】
分割体１０，１１を長さ方向に着脱自在に連結するため、両端分割体１０には外方へ延びる連結片１５が３本の縦桟部１２に連なってそれぞれ形成され、各連結片１５の同じ面側には長さ方向に間隔をあけて２つの係合突起１６が突出状に形成され、中央分割体１１の両端部には外方へ延びる連結片１７が一体的に形成され、この連結片１７には係合突起１６に着脱自在に嵌合する係合孔１８が形成されている。
【００１８】
より具体的には、図４、図５に示すように、係合突起１６の先端部には略円柱状の係合部２０が形成され、係合部２０はその直径よりも幅狭な板状の脚部２１を介して連結片１５に一体的に形成されている。脚部２１の両側において係合部２０の下面に係止面２２が形成され、脚部２１の両側には係合部２０よりも大径の部分円弧状の抜き孔２３が形成されている。係合孔１８は略小判型に形成され、係合孔１８を取り囲むようにその周囲に環状突部２５が形成され、環状突部２５の内側は薄肉部２６が形成されている。
【００１９】
そして、薄肉部２６を変形させながら係合孔１８に係合突起１６の係合部２０を挿入して、係合孔１８を経て係合部２０を反対側へ突出させ、係止面２２を薄肉部２６に係合させることで、係合突起１６が係合孔１８に着脱自在に係合されている。このようにして係合突起１６を形成すると、一方の金型に抜き孔２３を形成する成形部を形成して、この成形部により金型構造を複雑にすることなく、係合部２０に対してその下面に係止面２２を形成することが可能となる。
【００２０】
両端分割体１０と中央分割体１１は、それぞれ６つの係合突起１６と係合孔１８とで連結したが、６個以外の個数で連結することも可能である。また、両端分割体１０に係合孔１８を形成し、中央分割体１１に係合孔１８に嵌合する係合突起１６を形成してもよい。更に、両端分割体１０に係合孔１８と係合突起１６を形成し、中央分割体１１に両端分割体１０の係合孔１８と係合突起１６とにそれぞれ嵌合する係合突起１６と係合孔１８を形成してもよい。また、係合突起１６と係合孔１８以外の連結方法により分割体１０，１１を着脱自在に連結してもよい。
【００２１】
両端分割体１０の端部近傍には途中部よりも多少幅狭な幅狭部３０が形成され、端部には途中部よりも多少幅広な幅広部３１が形成されている。図２、図３、図６に示すように、幅広部３１の横桟部１３と幅方向の途中部の縦桟部１２との交差部には筒状部３２が一体的に形成され、筒状部３２の基部側には角穴３３が形成されている。但し、幅狭部３０や幅広部３１を省略して両端分割体１０を全体的に同幅に構成してもよい。
【００２２】
フック部材３は、図２、図３、図６に示すように、フック部３５と、フック部３５に連なって延びる軸部３６とを有し、射出成形により一体成形されている。軸部３６の途中部には鍔部３８が形成され、軸部３６の端部は二股に分割構成され、軸部３６の端部には外方へ突出する係止鍔部３７が形成され、係止鍔部３７が筒状部３２を通り抜けて角穴３３内に位置するまで、軸部３６を筒状部３２に内嵌装着することで、係止鍔部３７と鍔部３８間に筒状部３２を保持して、フック部材３が筒状部３２から脱落しないように構成されている。両フック部材３は、異形に構成してもよいが、製作コストを低減するため同形に構成することが好ましい。
【００２３】
この干し具１では、一方のフック部材３の引っ掛ける位置を変更して、干し物５のサイズに応じて干し物５に巻き付ける帯状部材２の長さを調整した状態で、図１に示すように、物干し竿４０等に他方のフック部材３を引っ掛けて、枕等の干し物５を干すことになる。
【００２４】
尚、帯状部材２の一端側の幅広部３１の幅方向の途中部の縦桟部１２を省略して、幅広部３１の左右の通気孔１４を連通させ、この通気孔１４に対して帯状部材２の他端部をフック部材３とともに挿入して、他端側のフック部材３を帯状部材２の途中部の引掛部４に引っ掛けて、帯状部材２を干し物５に巻き付け保持するとともに、一端側のフック部材３を物干し竿等に引っ掛けて、干し物５を干してもよい。
【００２５】
【発明の効果】
本発明に係る干し具によれば、一方のフック部材の引掛位置を変更して、各種サイズの干し物を帯状部材により適度な保持力で保持でき、風で煽られたりすることによる干し物の脱落を効果的に防止できる。また、干し具を帯状部材とフック部材とで構成できるので、干し具の構成部品点数を減らしてその製作コストを低減できる。
【００２６】
また、帯状部材として、柔軟性を有する合成樹脂製の一体成形品からなり、幅方向に間隔をあけて形成した長さ方向に延びる細長い平板状の複数本の縦桟部と、長さ方向に間隔をあけて形成した幅方向に延びる細長い平板状の複数の横桟部とを有するものを用いているので、帯状部材を射出成形により容易に且つ安価に製作できる。
【００２７】
更に、帯状部材を長さ方向の両側の両端分割体と中央部の中央分割体とに連結可能に分割構成すると、両端部の分割体を同一構造に構成できるとともに、途中部の中央分割体を複数分割する場合には、それらを同一構造に構成できるので、金型の製作コストを低減する上で好ましい。
【図面の簡単な説明】
【図１】  干し具の使用状態の説明図
【図２】  干し具の分解斜視図
【図３】  干し具の正面図
【図４】  分割体の連結部分要部の分解斜視図
【図５】  図３のV-V線断面図
【図６】  フック部材付近における干し具の要部正面図
【符号の説明】
１      受け具        ２      帯状部材
３      フック部材    ４      引掛部
５      干し物
１０    両端分割体    １１    中央分割体
１２    縦桟部        １３    横桟部
１４    通気孔        １５    連結片
１６    係合突起      １７    連結片
１８    係合孔        １９    線状補強部
２０    係合部        ２１    脚部
２２    係止面        ２３    抜き孔
２５    環状突部      ２６    薄肉部
３０    幅狭部        ３１    幅広部
３２    筒状部        ３３    角穴
３５    フック部      ３６    軸部
３７    係止鍔部      ３８    鍔部
４０    物干し竿
【図１】
0003791418.tif 000002
【図２】
0003791418.tif 000003
【図３】
0003791418.tif 000004
【図４】
0003791418.tif 000005
【図５】
0003791418.tif 000006
【図６】
0003791418.tif 000007